(57)【要約】【課題】フィルタの構成段数を増やすことなく、受信妨害波干渉を抑圧する。【解決手段】ＲＦ信号を受信して受信信号を出力する受信部と；前記受信信号をフィルタリングする、周波数特性を制御可能なフィルタと；前記フィルタによりフィルタリングされた受信信号から受信信号強度表示信号（ＲＳＳＩ）値を検出する検出部と；前記ＲＳＳＩ値が最大となるように前記フィルタの周波数特性を制御する制御部とを具備する。【選択図】      図１
2008193422.tif 000002
【特許請求の範囲】
【請求項１】
ＲＦ信号を受信して受信信号を出力する受信部と、
前記受信信号をフィルタリングする、周波数特性を制御可能なフィルタと、
前記フィルタによりフィルタリングされた受信信号から受信信号強度表示信号（ＲＳＳＩ）値を検出する検出部と、
前記ＲＳＳＩ値が最大となるように前記フィルタの周波数特性を制御する制御部と、
を具備する無線機。
【請求項２】
ＲＦ信号を受信して受信信号を出力する受信部と、
前記受信信号をフィルタリングする、周波数特性及び損失を制御可能なフィルタと、
前記フィルタによりフィルタリングされた受信信号から受信信号強度表示信号（ＲＳＳＩ）値を検出する検出部と、
前記ＲＳＳＩ値が最大となるように前記フィルタの周波数特性を制御し、前記ＲＳＳＩ値が予め定められた閾値を超える場合に前記ＲＳＳＩ値が前記閾値以下になるように前記フィルタの損失を制御する制御部と、
を具備する無線機。
【発明の詳細な説明】
【技術分野】
【０００１】
本発明は、受信妨害波干渉特性を改良した無線機に関する。
【背景技術】
【０００２】
通常、無線機はスーパーへテロダイン方式を採用しており、受信信号を一定の中間周波数に周波数変換してから復調を行う。例えば、特許文献１に開示されているようなダブルスーパーへテロダイン方式の無線機では、２回に分けて周波数変換を行う。
【０００３】
スーパーヘテロダイン方式の無線機では、周知のように所望の周波数以外の周波数（イメージ周波数）成分による混信（受信妨害波干渉）が生じる。そこで、特許文献１に示されるように帯域通過型フィルタ（ＢＰＦ）によって、周波数変換前の信号からイメージ周波数成分を抑圧することが一般に行われている。この場合、イメージ周波数成分の抑圧性能は主にＢＰＦの減衰特性で決定される。
【０００４】
しかし、広帯域をカバーする無線機では、広帯域にわたる受信信号に対応するために図１１中の広帯域ＢＰＦ特性１１のような広い通過帯域のＢＰＦを用いると、イメージ周波数成分を十分に抑圧することが困難である。
【０００５】
そこで、イメージ周波数成分を除去するにあたっては、図１１中の狭帯域ＢＰＦ特性１２のような比較的狭い通過帯域を持つＢＰＦを用い、その通過帯域を受信波の周波数に沿ってシフトさせるトラッキング方式が有効である。このような狭帯域ＢＰＦ特性１２を用いたトラッキング方式によれば、広帯域ＢＰＦ特性１１を固定的に用いる場合に比べてイメージ周波数成分に対する減衰量を大きくとることができるため、イメージ周波数成分を除去しやすい。また、図１１中に示す極狭帯域ＢＰＦ特性１３を用いれば、イメージ周波数成分に対して更に大きな減衰特性を得ることができる。
【０００６】
一方、同じ通過帯域を持つフィルタであっても、図１２に示すようにフィルタを構成する段数を増やすことで、より急峻な減衰特性を得ることができ、それによってイメージ周波数成分の抑圧性能を向上させることも可能である。図１２は、フィルタの段数が１段、２段及び３段の場合のＢＰＦ特性２１，２２及び２３を示しており、段数が増えるほど減衰特性が急峻となっていることが分かる。
【０００７】
一方、受信過入力時に増幅器の素子が飽和するのを防止するため、低ＶＦ（電圧−周波数特性）特性のショットキ・バリア・ダイオードを挿入する手法が知られている。しかし、この手法の有効性は、ダイオード自体のＶＦ特性に依存しているため、素子ばらつきに左右される。また、パラメタの制御及び調整も不可能である。
【特許文献１】特開２００１−１２７６５９号公報
【発明の開示】
【発明が解決しようとする課題】
【０００８】
受信妨害波干渉を抑圧するためには、ＢＰＦの減衰特性を急峻にすることが有効である。しかしながら、例えば急峻な減衰特性を得るためにフィルタを構成する段数を増やした場合、各種ばらつきや温度偏差も同様に急峻となり、また、部品構成数が増えることによってトラッキングに要する調整が複雑となる。
【０００９】
従って、本発明はフィルタの構成段数を増やすことなく、受信妨害波干渉抑圧特性を改良可能な無線機を提供することを目的とする。
【課題を解決するための手段】
【００１０】
本発明の一態様に係る無線機は、ＲＦ信号を受信して受信信号を出力する受信部と；前記受信信号をフィルタリングする、周波数特性を制御可能なフィルタと；前記フィルタによりフィルタリングされた受信信号から受信信号強度表示信号（ＲＳＳＩ）値を検出する検出部と；前記ＲＳＳＩ値が最大となるように前記フィルタの周波数特性を制御する制御部とを具備する。
【００１１】
本発明の他の態様に係る無線機は、ＲＦ信号を受信して受信信号を出力する受信部と；前記受信信号をフィルタリングする、周波数特性及び損失を制御可能なフィルタと；前記フィルタによりフィルタリングされた受信信号から受信信号強度表示信号（ＲＳＳＩ）値を検出する検出部と；前記ＲＳＳＩ値が最大となるように前記フィルタの周波数特性を制御し、前記ＲＳＳＩ値が予め定められた閾値を超える場合に前記ＲＳＳＩ値が前記閾値以下になるように前記フィルタの損失を制御する制御部とを具備する。
【発明の効果】
【００１２】
本発明では、ＲＳＳＩ値に基づいてフィルタの周波数特性、あるいは周波数特性と損失を制御することによって、より狭帯域のＢＰＦを用いても受信信号の周波数に追従可能であり、これによってフィルタの構成段数を増やすことなく、受信妨害波干渉抑圧特性を改良することが可能となる。
【発明を実施するための最良の形態】
【００１３】
以下、図面を参照して、本発明の実施形態について説明する。  
（第１の実施形態）  
図１に示すように、本発明の第１の実施形態に従う無線機は、アンテナ１０１、アンテナ共用器１０２、送信部１０３、マイクロフォン１０４、スピーカ１０５、受信部１１０及び制御部１３０を有する。制御部１３０には、メモリ１３１及び中央演算処理装置（ＣＰＵ）１３２が設けられる。
【００１４】
送信時には、マイクロフォン１０４からの音声信号が制御部１３０を経て送信部１０３に入力され、変調、周波数変換及び電力増幅等の公知の処理が施された後、アンテナ共用器１０２を経由してアンテナ１０１より送信される。
【００１５】
一方、受信部１１０は、フィルタ１１１、増幅器１１２、ミキサ１１３、局部発振器１１４、フィルタ１１５、増幅器１１６、ミキサ１１７、局部発振器１１８、復調回路１１９及びＲＳＳＩ検出回路１２０を有する。
【００１６】
受信時にはアンテナ１０１によってＲＦ信号が受信され、これによってアンテナ１０１から出力される受信信号はアンテナ共用器１０２を経由してフィルタ１１１に入力される。フィルタ１１１により受信信号がフィルタリングされることによって、イメージ周波数成分等の不要波が除去される。フィルタ１１１によってフィルタリングされた受信信号は、増幅器１１２によって所要レベルまで増幅される。
【００１７】
ここで、フィルタ１１１は周波数特性を制御可能なフィルタ（ＢＰＦ）であり、特に本実施形態では通過帯域をシフトできるように構成されている。このようなフィルタ１１１は、例えば図２に示すようなＬＣ構成のＢＰＦにおいて、ＬＣ共振に関する容量として可変容量ダイオード２０１及び２０２を用いることによって実現される。すなわち、制御部１３０から可変容量ダイオード２０１及び２０２に供給する逆方向バイアス電圧（制御電圧）Ｖcontを変化させることによってＬＣ共振の容量値を変化させ、これに伴って通過帯域をシフトさせることが可能である。このようにして受信信号の周波数に追随するトラッキング機能を実現するが、このトラッキングについては、後に詳しく説明する。
【００１８】
増幅器１１２によって増幅された受信信号は、ミキサ１１３によって局部発振器１１４からの第１のローカル信号（ＬＯ信号）と混合されることにより、第１中間周波数信号（ＩＦ信号）に周波数変換される。この第１のＩＦ信号は、フィルタ１１５を介して不要波が除去された後、増幅器１１６によって所要レベルまで増幅される。増幅器１１６によって増幅された第１のＩＦ信号は、ミキサ１１７によって局部発振器１１８からの第２のＬＯ信号と混合されることにより、第２ＩＦ信号に周波数変換される。この第２のＩＦ信号は、復調回路１１９によって復調される。復調された信号は、制御部１３０によりオーディオ増幅等の所定の処理が施された後、スピーカ１０５より音声として出力される。
【００１９】
次に、フィルタ１１１における周波数トラッキングについて説明する。  
フィルタ１１１として図２に示すフィルタを用いる場合、前述したように可変容量ダイオード２０１及び２０２に印加する制御電圧Ｖcontを変えることで所望の通過帯域を得ることができる。本実施形態においては、制御電圧Ｖcontは制御部１３０においてＲＳＳＩ検出回路１２０により検出されるＲＳＳＩ値に基づいて可変される。ＢＰＦは一般に通過帯域の中心周波数（帯域中心周波数という）において最も損失が少ないため、ＲＳＳＩ値が最大となる性質を利用する。即ち、制御部１３０はＲＳＳＩ検出回路１２０の検出結果を監視し、ＲＳＳＩ値が相対的に大きくなるように制御電圧Ｖcontを変化させる。
【００２０】
以下、図３を用いて周波数トラッキング処理についてさらに詳しく説明する。尚、一連の処理はメモリ１３１に格納されたプログラムに従ってＣＰＵ１３２が行うものとする。
【００２１】
例えば、受信信号が図４に示す信号フォーマットの場合、シンクワード後に周波数トラッキングを開始する。メモリ１３１は、例えば図５に示すような制御電圧テーブルを保持しており、ＣＰＵ１３２はテーブル１３１を参照して、現在の送受信設定チャネルに応じて制御電圧の初期値を設定するものとする。図５のテーブルは、一例として帯域中心周波数を１２０ＭＨｚから１７０ＭＨｚまで周波数トラッキング可能なフィルタ１１１に関する制御電圧Ｖcontの初期値を示しておりであり、制御電圧Ｖcontを１２０ＭＨｚに対応する制御電圧Ｖ１から、１７０ＭＨｚに対応する制御電圧Ｖ２まで帯域中心周波数と制御電圧Ｖcontを１次関数として関連付けたものである。本来は、制御電圧Ｖcontの変化と実際のフィルタ１１１の帯域中心周波数の変化は非線形な関係であるが、制御電圧Ｖcontを周波数に対して線形に求めたとしても、ある程度の精度で制御電圧Ｖcontを得ることができる。
【００２２】
処理が開始すると、まず、変数ｉに０を代入する（ステップＳ３０１）。この変数ｉは前述した可変容量ダイオード２０１及び２０２に印加する制御電圧Ｖcontを増減させた回数をカウントするためのカウンタである。即ち、周波数トラッキングに時間がかかりすぎると、例えば音声通話では音声の頭切れ等が発生するため、制御電圧Ｖcontを増減させる回数をｎ回で区切ることとした。ｎは定数であり、無線機の性能及び通信方式等に応じて設計者が適宜設定してよい。また、制御電圧Ｖcontを増減させる回数を区切るのではなく、周波数トラッキング処理に制限時間を設け、この制限時間内で制御電圧を補正するようにしてもよい。
【００２３】
次に、ＲＳＳＩ検出回路１２０が現在のＲＳＳＩ値を検出し、このＲＳＳＩ値を例えば制御部１３０内のメモリ１３１に一時的に記録して、ステップＳ３０３へと進む（ステップＳ３０２）。
【００２４】
ステップＳ３０３では、現在の制御電圧Ｖcontを所定の減少幅で減少させて、この減少させた制御電圧Ｖcontをフィルタ１１１中の可変容量ダイオード２０１及び２０２に印加する。この減少幅は固定であってもよいし、可変であってもよい。即ち、周波数トラッキングを行うにあたって適切な幅を設計者が適宜設定してよい。また、本ステップにおいて制御電圧Ｖcontを増大させてもよい。その場合、以降の説明において減少を増大、増大を減少に適宜読み替える。次に、変数ｉを１インクリメントする（ステップＳ３０４）。
【００２５】
次に、ＲＳＳＩ検出回路１２０は、再びＲＳＳＩ値を検出し、現在メモリ１３１に記録されているＲＳＳＩ値に比べて増大したか否かを判断する（ステップＳ３０５）。ＲＳＳＩ値が増大していれば、フィルタ１１１の帯域中心周波数が、現在の受信信号の周波数に近づいたと推定できるため、制御電圧Ｖcontを補正すべくステップＳ３０６へと進む。一方、ＲＳＳＩ値が増大していなければ、フィルタ１１１の帯域中心周波数が、現在の受信信号の周波数から遠ざかり始めたと推定できるため、制御電圧Ｖcontの減少処理を中止し、ステップＳ３０８へと進む。
【００２６】
ステップＳ３０６では、制御電圧Ｖcontを現在の値に補正し、一時的にメモリ１３１に記録する。引き続き、変数ｉが定数ｎ未満か否かを判断する（ステップＳ３０７）。変数ｉが定数ｎ未満でなければ、周波数トラッキング処理を終了する。即ち、前述したように制御電圧Ｖcontの増減処理をｎ回までに区切っているため、フィルタ１１１の帯域中心周波数が現在の受信信号の周波数に更に近づく余地があるか否かに関わらず、周波数トラッキング処理を強制的に終了する。一方、変数ｉがｎ未満であれば、フィルタ１１１の帯域中心周波数を現在の受信信号の周波数に更に近づけるため、ステップＳ３０３へと戻る。
【００２７】
ステップＳ３０８では、変数ｉが１に等しいか否かを判断する。即ち、変数ｉが１であれば、先のステップＳ３０３で制御電圧Ｖcontを減少させたものの、ＲＳＳＩ値が増大しなかったこと（フィルタ１１１の帯域中心周波数が現在の受信信号の周波数から遠ざかったこと）を意味しているため、制御電圧を増大させることでＲＳＳＩ値が増大する余地があると考えられる。そこで、ステップＳ３０９へと進み、以降の制御電圧Ｖcontの増大処理を行う。一方、変数ｉが１でなければ、ステップＳ３０３−ステップＳ３０７のループを１回以上繰り返し、フィルタ１１１の帯域中心周波数が現在の受信信号に十分収束していると推定できるため、以降の制御電圧Ｖcontの増大処理を行う必要が無い。そこで、周波数トラッキング処理を終了する。
【００２８】
ステップＳ３０９では、先のステップＳ３０３とは逆に現在の制御電圧Ｖcontを所定の増大幅で増大させ、この増大させた制御電圧Ｖcontをフィルタ１１１中の可変容量ダイオード２０１及び２０２に印加する。次に、変数ｉを１インクリメントする（ステップＳ３１０）。次に、ＲＳＳＩ検出回路１２０は、再びＲＳＳＩ値を検出し、現在メモリ１３１に記録されているＲＳＳＩ値に比べて増大したか否かを判断する（ステップＳ３１１）。ＲＳＳＩ値が増大していれば、フィルタ１１１の帯域中心周波数が、現在の受信信号の周波数に近づいたと推定できるため、更に制御電圧Ｖcontを増やすべくステップＳ３１２へと進む。一方、ＲＳＳＩ値が増大していなければ、フィルタ１１１の帯域中心周波数が、現在の受信信号の周波数から遠ざかり始めたと推定できるため、周波数トラッキング処理を終了する。
【００２９】
ステップＳ３１２では、制御電圧Ｖcontを現在の値に補正し、一時的にメモリ１３１に記録する。次に、変数ｉが定数ｎ未満か否かを判断する（ステップＳ３１３）。変数ｉが定数ｎ以上であれば、周波数トラッキング処理を終了する。即ち、前述したように制御電圧Ｖcontの増減処理をｎ回に区切っているため、フィルタ１１１の帯域中心周波数が現在の受信信号の周波数に更に近づく余地があるか否かに関わらず、周波数トラッキング処理を強制的に終了する。一方、変数ｉが定数ｎ以下であれば、フィルタ１１１の帯域中心周波数を現在の受信信号の周波数に更に近づけるため、ステップＳ３０９へと戻る。
【００３０】
以上説明したように、本実施形態に係る無線機によれば、受信信号をフィルタリングするフィルタ１１１の周波数特性（特に通過帯域）をＲＳＳＩ値が最大となるように制御することによって、精度良く周波数トラッキングすることができる。従って、フィルタ１１１が比較的狭い通過帯域であっても受信信号の周波数に追従することが可能となり、フィルタ１１１の構成段数を増やすことなく、所望の減衰特性が得られるため、受信妨害波干渉を効果的に抑えることができる。
【００３１】
（第２の実施形態）  
本発明の第２の実施形態に係る無線機は、図６に示すように、図１の無線機中のフィルタ１１１をフィルタ６１１に置き換えたものである。フィルタ６１１には、制御部１３０から２種類の制御電圧Ｖcont及びＶcont２が供給される。以下、図６において図１と同一部分には同一の符号を付して詳細な説明を省略し、図１と異なる部分を中心に述べる。
【００３２】
フィルタ６１１は、図１中のフィルタ１１１と同様に周波数特性（特に通過帯域）を制御可能であると共に、さらに損失を制御可能なフィルタ（ＢＰＦ）であり、例えば図７に示すような図２のＢＰＦにおいて２つのＬＣ共振回路を接続する容量として可変容量ダイオード７０３を用いることによって実現される。このフィルタ６１１では、図１のフィルタ１１１と同様に制御部１３０から可変容量ダイオード２０１，２０２に供給する第１の制御電圧Ｖcontを変えることによって通過帯域をシフト可能であると共に、制御部１３０から可変容量ダイオード７０３に印加する逆方向バイアス電圧（第２の制御電圧Ｖcont２）を変化させることによって、図８に示すように損失を変化させることも可能である。従って、受信過入力時にはフィルタ６１１の損失を増大させ、受信信号を所望のレベルまで減衰させることにより、後段の増幅器１１２の飽和を防止する。
【００３３】
本実施形態では、このフィルタ６１１を用いて受信過入力対策を行う。以下、図８を用いてこの受信過入力対策の処理について説明する。尚、一連の処理はメモリ１３１に記録された処理手順に従ってＣＰＵ１３２が行うものとする。  
尚、本実施形態では、第１の実施形態と同様に図４に示す信号フォーマットを用いるものとし、プリアンブル中に受信過入力対策の処理を行う。まず、ＲＳＳＩ値が予め定める閾値以下か否かを判断する（ステップＳ９０１）。この閾値は、受信信号が過入力であるか否かを判断するための閾値であって、図１０に示す線形特性の範囲内でできるだけ大きな値を定める。例えば増幅器１１２の飽和点を閾値とする。ＲＳＳＩ値が閾値以下であれば受信過入力ではないと判断できるため、処理を終了する。一方、ＲＳＳＩ値が閾値を超えていれば受信過入力であると判断できるため、現在のＲＳＳＩ値をメモリ１３１に一時的に記録し、ステップＳ９０２へと進む。
【００３４】
ステップＳ９０２では、変数ｊに０を代入する。この変数ｊは前述した可変容量ダイオード７０３に印加する第２の制御電圧Ｖcont２を増減させた回数をカウントするためのカウンタである。即ち、前述したようにこの受信過入力対策処理は図４に示す信号フォーマット例であればプリアンブル中に終える必要があるため、第２の制御電圧Ｖcont２を増減させる回数をｍ回で区切ることとした。ｍは定数であり、設計者が適宜設定してよい。また、第２の制御電圧Ｖcont２を増減させる回数を区切るのではなく、受信過入力対策処理に制限時間を設け、この制限時間内で第２の制御電圧Ｖcont２を補正にするようにしてもよい。
【００３５】
ステップＳ９０３では、現在の第２の制御電圧Ｖcont２を所定の減少幅で減少させて、この減少させた第２の制御電圧Ｖcont２をフィルタ１１１中の可変容量ダイオード７０３に印加する。この減少幅は固定であってもよいし、可変であってもよい。即ち、受信過入力対策処理を行うにあたって適切な幅を設計者が適宜設定してよい。また、本ステップは第２の制御電圧Ｖcont２を調整する方向性（即ち、第２の制御電圧Ｖcont２を減らすべきか、或いは増やすべきか）を判断するために設けられており、第２の制御電圧Ｖcont２を増加させても同様の効果を得ることができる。その場合は、以降の説明において、増大を減少、減少を増大に夫々適宜読み替える。次に、変数ｊを１インクリメントする（ステップＳ９０４）。次に、ＲＳＳＩ検出回路１２０は再びＲＳＳＩ値を検出し、現在メモリ１３１に記録さているＲＳＳＩ値に比べて減少したか否かを判断する（ステップＳ９０５）。ＲＳＳＩ値が減少していれば、第２の制御電圧Ｖcont２を補正すべくステップＳ９０６へと進む。一方、ＲＳＳＩ値が減少していなければ、第２の制御電圧Ｖcont２の減少処理を中止し、増大処理を行うためにステップＳ９１１へと進む。
【００３６】
ステップＳ９０６では、第２の制御電圧Ｖcont２を現在の値に補正し、一時的にメモリ１３１に記録する。次に、ＲＳＳＩ値が閾値以下か否かを判断する（ステップＳ９０７）。ＲＳＳＩ値が閾値以下であればこれ以上ＲＳＳＩ値を減少させる必要は無いので、処理を終了する。一方、ＲＳＳＩ値が閾値を超えていれば、更にＲＳＳＩ値を減少させるべくステップＳ９０８へと進む。
【００３７】
ステップＳ９０８では、変数ｊが定数ｍ未満か否かを判断する。変数ｊが定数ｍ未満でなければ、受信過入力対策処理を終了する。即ち、前述したように第２の制御電圧Ｖcont２の増減処理をｍ回で区切っているため、ＲＳＳＩ値が閾値以下になっていなくても、受信過入力対策処理を強制的に終了する。一方、変数ｊが定数ｍ未満であれば、ＲＳＳＩ値を閾値以下にするため、ステップＳ９０９へと進む。
【００３８】
ステップＳ９０９では、現在の第２の制御電圧Ｖcont２を所定の減少幅で減少させて、この減少させた第２の制御電圧Ｖcont２をフィルタ１１１中の可変容量ダイオード７０３に印加する。即ち、ステップＳ９０３と同様の処理を行う。次に、変数ｊを１インクリメントし、ステップＳ９０６へと戻る（ステップＳ９１０）。
【００３９】
ステップＳ９１１では、先のステップＳ９０３及びステップＳ９０９とは逆に現在の第２の制御電圧Ｖcont２を所定の増大幅で増大させて、この増大させた第２の制御電圧Ｖcont２をフィルタ１１１中の可変容量ダイオード７０３に印加する。次に、変数ｊを１インクリメントする（ステップＳ９１２）。次に、第２の制御電圧Ｖcont２を現在の値に補正し、一時的にメモリ１３１に記録する（ステップＳ９１３）。次に、ＲＳＳＩ値が閾値以下か否かを判断する（ステップＳ９１４）。ＲＳＳＩ値が閾値以下であればこれ以上ＲＳＳＩ値を減少させる必要は無いので、処理を終了する。一方、ＲＳＳＩ値が閾値を超えていれば、更にＲＳＳＩ値を減少させるべくステップＳ９１５へと進む。
【００４０】
ステップＳ９１５では、変数ｊが定数ｍ未満か否かを判断する。変数ｊが定数ｍ未満でなければ、受信過入力対策処理を終了する。即ち、前述したように第２の制御電圧Ｖcont２の増減処理をｍ回で区切っているため、ＲＳＳＩ値が閾値以下になっていなくても、受信過入力対策処理を強制的に終了する。一方、変数ｊが定数ｍ未満であれば、ＲＳＳＩ値を閾値以下にするため、ステップＳ９１１へと戻る。
【００４１】
以上説明したように、本実施形態に係る無線機によれば第１の実施形態の効果に加えて、受信信号をフィルタリングするフィルタ６１１の損失を受信過入力時に大きくすることにより、後段の増幅器１１２への入力レベルを抑制して増幅器１１２の飽和を防ぐことができるという効果が得られる。この場合、増幅器の飽和を防ぐために低ＶＦ特性のショットキ・バリア・ダイオードを用いる従来の手法のように、素子ばらつきに左右される問題や、パラメタの制御や調整が不可能という問題がない。
【００４２】
なお、この発明は上記実施形態そのままに限定されるものではなく、実施段階ではその要旨を逸脱しない範囲で構成要素を変形して具体化できる。また上記実施形態に開示されている複数の構成要素を適宜組み合わせることによって種々の発明を形成できる。また例えば、実施形態に示される全構成要素からいくつかの構成要素を削除した構成も考えられる。さらに、異なる実施形態に記載した構成要素を適宜組み合わせてもよい。
【００４３】
その一例として例えば、前述した実施形態では、一般に広く用いられているダブルスーパーヘテロダイン方式の無線機について説明したが、これ以外の方式の無線機であっても構わない。その他、この発明の要旨を逸脱しない範囲で種々の変形を施しても同様に実施可能であることはいうまでもない。
【図面の簡単な説明】
【００４４】
【図１】本発明の第１の実施形態に係る無線機を示すブロック図。
【図２】図１に示すフィルタ１１１の回路構成の一例を示す回路図。
【図３】図１に示すフィルタ１１１の周波数トラッキング処理の流れを示すフローチャート。
【図４】図１の無線機が通信オン時に用いる信号フォーマットの例を示す図。
【図５】図１のメモリ１３１が保持する制御電圧の初期値テーブルの一例を示す図。
【図６】本発明の第２の実施形態に係る無線機を示すブロック図。
【図７】図６のフィルタ６１１の回路構成の一例を示す回路図。
【図８】図７の可変容量ダイオード７０３の容量値の変化によるフィルタの損失の変化の例を示す図。
【図９】図６のフィルタ６１１による受信過入力対策処理の流れを示すフローチャート。
【図１０】図１及び図６のＲＳＳＩ検出回路１２０が検出するＲＳＳＩ値の特性を示すグラフ図。
【図１１】異なる通過帯域を有するＢＰＦの周波数特性の比較例を示すグラフ図。
【図１２】異なる段数で構成されたＢＰＦの周波数特性の比較例を示すグラフ図。
【符号の説明】
【００４５】
１１・・・広帯域ＢＰＦ
１２・・・狭帯域ＢＰＦ
１３・・・極狭帯域ＢＰＦ
２１・・・１段構成ＢＰＦ
２２・・・２段構成ＢＰＦ
２３・・・３段構成ＢＰＦ
１０１・・・アンテナ
１０２・・・共用器
１０３・・・送信部
１０４・・・マイクロフォン
１０５・・・スピーカ
１１０・・・受信部
１１１・・・フィルタ
１１２・・・増幅器
１１３・・・ミキサ
１１４・・・局部発振器
１１５・・・フィルタ
１１６・・・増幅器
１１７・・・ミキサ
１１８・・・局部発振
１１９・・・復調回路
１２０・・・ＲＳＳＩ検出回路
１３０・・・制御部
１３１・・・メモリ
１３２・・・ＣＰＵ
２０１・・・可変容量ダイオード
２０２・・・可変容量ダイオード
６１１・・・フィルタ
７０３・・・可変容量ダイオード
【図１】
2008193422.tif 000003
【図２】
2008193422.tif 000004
【図３】
2008193422.tif 000005
【図４】
2008193422.tif 000006
【図５】
2008193422.tif 000007
【図６】
2008193422.tif 000008
【図７】
2008193422.tif 000009
【図８】
2008193422.tif 000010
【図９】
2008193422.tif 000011
【図１０】
2008193422.tif 000012
【図１１】
2008193422.tif 000013
【図１２】
2008193422.tif 000014